(57)【要約】【課題】  引手と電子錠を一体に組み込んだ開閉操作ユニットを、収納家具の扉若しくは引出し前板からなる開閉板の裏面に取付けて、開閉板の裏面側に予め取付けられたラッチの作動軸と引手が連動し、ラッチ機構付きの開閉板と開閉操作ユニットを別々に管理可能な収納家具の電子錠付き開閉装置を提供する。【解決手段】  開閉板２に開口部１３を形成し、開口部より外側で縁部に沿って両端部にラッチ５を連動させた作動軸６を回転可能に支持し、開閉操作ユニット４は、ユニットケース７の表面側に回転可能に支持した引手９と電子錠８の認証パネル１を設け、一側に溝２５を形成し、引手と認証パネルを開口部から表面に臨ませた状態で開閉板の裏面に取付け、溝に受け入れた作動軸に固定した連動部材１５と引手の可動部を当接して引手の手前側への回転変位に対してラッチの係合の解除方向に作動軸を回転する。【選択図】        図６
2015187345.tif 000002
【特許請求の範囲】
【請求項１】
引手と電子錠を一体に組み込んだ開閉操作ユニットを、キャビネット等の収納家具の扉若しくは引出し前板からなる開閉板の裏面に取付けることにより、開閉板の裏面側に予め取付けられたラッチの作動軸と引手が連動してなる収納家具の電子錠付き開閉装置であって、前記開閉板の縁部の内側に四角形の開口部を形成するとともに、該開口部より外側で縁部に沿って両端部にラッチを連動させた作動軸を回転可能に支持し、前記開閉操作ユニットは、ユニットケースの表面側に回転可能に支持した前記引手と前記電子錠の認証パネルを設けるとともに、一側に前記作動軸を受け入れる溝を形成してなり、前記ユニットケースを引手と認証パネルを前記開口部から表面に臨ませた状態で開閉板の裏面に取付けるとともに、前記溝に受け入れた作動軸に固定した連動部材と前記引手の可動部を当接して引手の手前側への回転変位に対してラッチの係合が解除される方向に作動軸を回転駆動することを特徴とする収納家具の電子錠付き開閉装置。
【請求項２】
前記作動軸はラッチが筐体の框部に設けた係合部に係合する方向に回転するように弾性付勢してあり、前記引手の手前側への回転変位によってその可動部に当接した前記連動部材を介して前記作動軸を弾性付勢力に抗して回転するように連係し、前記引手を操作しない状態において前記ラッチが前記係合部に対する係合を解除する方向への作動軸の回転変位を許容して、前記開閉板を筐体に対して閉止可能としてなる請求項１記載の収納家具の電子錠付き開閉装置。
【請求項３】
前記作動軸はラッチが筐体の框部に設けた係合部に係合する方向に回転するように弾性付勢してあり、前記ユニットケース内で電子錠の操作によって前記引手の回転変位をロックした状態で、前記開閉板を筐体に対して閉止する際に、前記ラッチが前記係合部に対する係合を解除する方向への作動軸の回転変位を許容してなる請求項１記載の収納家具の電子錠付き開閉装置。
【請求項４】
前記開閉操作ユニットにおける引手と認証パネルが上下方向若しくは左右方向に隣接して配置され、該引手と認証パネルの間に、区画枠部を前記ユニットケースの表面側に一体的に形成してなる請求項１〜３何れか１項に記載の収納家具の電子錠付き開閉装置。
【発明の詳細な説明】
【技術分野】
【０００１】
本発明は、収納家具の電子錠付き開閉装置に係わり、更に詳しくはキャビネット等の収納家具の扉若しくは引出しを開閉するために設ける引手を備えた電子錠付き開閉装置に関するものである。
【背景技術】
【０００２】
従来から、扉若しくは引出しを開閉するために、扉若しくは引出し前板に、筐体の框部に対して係脱するラッチを操作する引手を設けるとともに、ラッチの開放側への動作を規制する施錠具を備えたキャビネット等の収納家具は各種提供されている。
【０００３】
例えば、特許文献１には、ユニットケース内に回動可能に引手を設けるとともに、押釦錠装置を組み込み、該ユニットケースを扉の背面側に着脱可能に取付けるとともに、扉に設けた開口から前記引手と押釦錠装置の押釦が前面に臨むように取付け、そしてラッチを回転駆動する作動軸をユニットケースに交差させて扉の裏面近傍に配置するとともに、前記引手の可動部と作動軸とを連動体でリンク連結して、引手の動作とラッチの動作を連動させた構造の開閉装置を備えた収納什器が開示されている。
【０００４】
また、特許文献２には、ケーシングに、把手とシリンダー錠、カードキー施錠機構及びシリンダー錠の開閉動作に連動して回転するラッチを備えるとともに、前面側に把手、シリンダー錠の差込口及びテンキー操作部を設け、このケーシングを扉板の矩形開口部に裏面側から挿入して取付け、前記把手、シリンダー錠の差込口、テンキー操作部を扉板の前面に露出させた構造の錠前装置が開示されている。
【０００５】
また、特許文献３には、扉をラッチするとともに、操作部の操作を通じてそのラッチ解除を行い得るようにしたものであって、前記操作部を、基端側に設けた取付軸まわりに回転可能に支持し、操作窓を閉止する位置と、この操作窓から退避して操作窓を開成する押し込み位置との間で移動可能として、押し込み位置でラッチ解除されるように構成するとともに、開成した操作窓の内側に、指を掛けることによって扉を目的位置へ移動させる操作力を付与し得る指掛け部を設けてなるラッチ装置が開示されている。
【０００６】
また、特許文献４には、ケーシングに設けた指差し込み用の凹部の開口部の対向位置に、該開口部を塞ぐように一対の蓋板を凹部内へ押し込み回動可能且つ外側へ復帰するように弾性付勢して取付け、前記蓋板を凹部内に押し込んだ際に該蓋板の表面が指掛け部となる構造の引手が開示されている。
【先行技術文献】
【特許文献】
【０００７】
【特許文献１】特開２０１３−０１９１７２号公報
【特許文献２】実用新案登録第３１２９５９８号公報
【特許文献３】特開２００２−１７４０６５号公報
【特許文献４】実公平６−１００４４号公報
【発明の概要】
【発明が解決しようとする課題】
【０００８】
特許文献１の構造では、引手と施錠具がユニットケースに予め組み込まれているものの、ラッチを駆動する作動軸はユニットケースを扉の裏面に取付けた後に、ユニットケースと交差するように扉の裏面近傍に回動可能に取付ける必要があった。また、ユニットケースは、ケース本体と裏カバーとからなるので、前記作動軸を組み付ける際には裏カバーを外す必要があり、組み立てが煩雑である。製品管理上は、ハード的な機構部を備えた扉本体と、製造工程も異なるデリケートな施錠具を備えたユニットケースを別々に管理し、出荷時に扉本体にユニットケースのみを取付けるようにすることが理想的であるが、ラッチと作動軸を最後に組み付ける構造であるので、理想的な製品管理ができない。
【０００９】
また、特許文献２に記載のものは、ケーシングに、把手と施錠具の他にラッチまで組み込まれ完全に機構部もユニット化されたものであるが、ラッチを１箇所のみしか設けることができず、大型の扉や引出し前板のように、扉の上下端部と引出し前板の左右端部にラッチを設けるような使い方はできない。
【００１０】
また、特許文献３に記載されたものは、操作部を押し込んでラッチを解除し、操作窓の内側に設けた指掛け部に指を掛けて引くことによって扉を手前に開放することができるものの、前記操作部は指の関節部で押してラッチを解除状態に維持する必要があるが、指掛け部を引く際に指の関節部が手前に移動すると操作部も前方へ移動し、ラッチがキャビネット本体に係合する方向に変位するので、再度ラッチが係合して扉が開かなくなる事態も想定される。また、特許文献４に記載されたものは、通常は両側の蓋板で凹部を閉じることができるので、外観性において優れ、しかもどちらの蓋板を押し込み操作しても指掛け部として扉等を手前に引くことができるものの、ラッチとの連動性はない。
【００１１】
そこで、本発明が前述の状況に鑑み、解決しようとするところは、引手と電子錠を一体に組み込んだ開閉操作ユニットを、キャビネット等の収納家具の扉若しくは引出し前板からなる開閉板の裏面に、前記引手と電子錠の認証パネルを開閉板の開口部から表面側に臨ませて取付けることにより、開閉板の裏面側に予め取付けられたラッチの作動軸と引手が連動し、ラッチ機構付きの開閉板と開閉操作ユニットを別々に管理可能な収納家具の電子錠付き開閉装置を提供する点にある。
【課題を解決するための手段】
【００１２】
本発明は、前述の課題解決のために、引手と電子錠を一体に組み込んだ開閉操作ユニットを、キャビネット等の収納家具の扉若しくは引出し前板からなる開閉板の裏面に取付けることにより、開閉板の裏面側に予め取付けられたラッチの作動軸と引手が連動してなる収納家具の電子錠付き開閉装置であって、前記開閉板の縁部の内側に四角形の開口部を形成するとともに、該開口部より外側で縁部に沿って両端部にラッチを連動させた作動軸を回転可能に支持し、前記開閉操作ユニットは、ユニットケースの表面側に回転可能に支持した前記引手と前記電子錠の認証パネルを設けるとともに、一側に前記作動軸を受け入れる溝を形成してなり、前記ユニットケースを引手と認証パネルを前記開口部から表面に臨ませた状態で開閉板の裏面に取付けるとともに、前記溝に受け入れた作動軸に固定した連動部材と前記引手の可動部を当接して引手の手前側への回転変位に対してラッチの係合が解除される方向に作動軸を回転駆動することを特徴とする収納家具の電子錠付き開閉装置を構成した（請求項１）。
【００１３】
ここで、前記作動軸はラッチが筐体の框部に設けた係合部に係合する方向に回転するように弾性付勢してあり、前記引手の手前側への回転変位によってその可動部に当接した前記連動部材を介して前記作動軸を弾性付勢力に抗して回転するように連係し、前記引手を操作しない状態において前記ラッチが前記係合部に対する係合を解除する方向への作動軸の回転変位を許容して、前記開閉板を筐体に対して閉止可能としてなることが好ましい（請求項２）。
【００１４】
また、前記作動軸はラッチが筐体の框部に設けた係合部に係合する方向に回転するように弾性付勢してあり、前記ユニットケース内で電子錠の操作によって前記引手の回転変位をロックした状態で、前記開閉板を筐体に対して閉止する際に、前記ラッチが前記係合部に対する係合を解除する方向への作動軸の回転変位を許容してなることも好ましい（請求項３）。
【００１５】
前記開閉操作ユニットにおける引手と認証パネルが上下方向若しくは左右方向に隣接して配置され、該引手と認証パネルの間に、区画枠部を前記ユニットケースの表面側に一体的に形成してなることがより好ましい（請求項４）。
【発明の効果】
【００１６】
以上にしてなる請求項１に係る発明の収納家具の電子錠付き開閉装置は、引手と電子錠を一体に組み込んだ開閉操作ユニットを、キャビネット等の収納家具の扉若しくは引出し前板からなる開閉板の裏面に取付けることにより、開閉板の裏面側に予め取付けられたラッチの作動軸と引手が連動してなる収納家具の電子錠付き開閉装置であって、前記開閉板の縁部の内側に四角形の開口部を形成するとともに、該開口部より外側で縁部に沿って両端部にラッチを連動させた作動軸を回転可能に支持し、前記開閉操作ユニットは、ユニットケースの表面側に回転可能に支持した前記引手と前記電子錠の認証パネルを設けるとともに、一側に前記作動軸を受け入れる溝を形成してなり、前記ユニットケースを引手と認証パネルを前記開口部から表面に臨ませた状態で開閉板の裏面に取付けるとともに、前記溝に受け入れた作動軸に固定した連動部材と前記引手の可動部を当接して引手の手前側への回転変位に対してラッチの係合が解除される方向に作動軸を回転駆動するので、引手と電子錠を一体に組み込んだ開閉操作ユニットを、キャビネット等の収納家具の扉若しくは引出し前板からなる開閉板の裏面に、前記引手と電子錠の認証パネルを開閉板の開口部から表面側に臨ませて取付けるだけで、開閉板の裏面側に予め取付けられたラッチの作動軸と引手が連動した状態に簡単に組み立てることができ、またラッチ機構付きの開閉板と開閉操作ユニットを別々に管理可能であるので、製造工程を合理化できる。
【００１７】
請求項２によれば、前記作動軸はラッチが筐体の框部に設けた係合部に係合する方向に回転するように弾性付勢してあり、前記引手の手前側への回転変位によってその可動部に当接した前記連動部材を介して前記作動軸を弾性付勢力に抗して回転するように連係し、前記引手を操作しない状態において前記ラッチが前記係合部に対する係合を解除する方向への作動軸の回転変位を許容して、前記開閉板を筐体に対して閉止可能としてなるので、開閉板を筐体から開いた状態から引手を操作しなくても、開閉板を閉じるだけでラッチを筐体の框部に設けた係合部に係合させることができる。
【００１８】
請求項３によれば、前記作動軸はラッチが筐体の框部に設けた係合部に係合する方向に回転するように弾性付勢してあり、前記ユニットケース内で電子錠の操作によって前記引手の回転変位をロックした状態で、前記開閉板を筐体に対して閉止する際に、前記ラッチが前記係合部に対する係合を解除する方向への作動軸の回転変位を許容してなるので、開閉板を筐体から開いた状態で、電子錠で引手の回転変位をロックしても、開閉板を閉じるだけでラッチを筐体の框部に設けた係合部に係合させることができる。
【００１９】
請求項４によれば、前記開閉操作ユニットにおける引手と認証パネルが上下方向若しくは左右方向に隣接して配置され、該引手と認証パネルの間に、区画枠部を前記ユニットケースの表面側に一体的に形成してなるので、引手操作領域と認証操作領域を区画枠部で確実に分離できて操作性に優れるとともに、外観性にも優れたものとなる。
【図面の簡単な説明】
【００２０】
【図１】扉付きキャビネットの斜視図である。
【図２】扉付きキャビネットの開閉操作部の部分拡大図を示し、（ａ）は通常閉止状態、（ｂ）はカバーを押し込んで引手を引いた状態である。
【図３】引出しキャビネットの斜視図である。
【図４】引出しキャビネットの開閉操作部の部分拡大図を示し、（ａ）は通常閉止状態、（ｂ）はカバーを押し込んで引手を引いた状態である。
【図５】扉本体の裏面構造を示す部分背面図である。
【図６】扉本体と開閉操作ユニットの関係を示す分解斜視図である。
【図７】扉本体に開閉操作ユニットを取付けた状態を示す斜視図である。
【図８】扉の開閉操作ユニット部分における通常閉止状態の横断平面図である。
【図９】同じくカバーを押し込んで引手を引いた状態の横断平面図である。
【図１０】同じく施錠状態のまま扉を閉止した場合のラッチの動作を示す横断平面図である。
【図１１】引出し前板の裏面構造を示す斜視図である。
【図１２】扉付きキャビネットの他の実施形態を示す斜視図である。
【図１３】同じく扉付きキャビネットの開閉操作部の部分拡大図を示し、（ａ）は通常閉止状態、（ｂ）は引手を引いた状態である。
【図１４】引出しキャビネットの他の実施形態を示す斜視図である。
【図１５】同じく引出しキャビネットの開閉操作部の部分拡大図を示し、（ａ）は通常閉止状態、（ｂ）は引手を引いた状態である。
【発明を実施するための形態】
【００２１】
次に、添付図面に示した実施形態に基づき、本発明を更に詳細に説明する。図１及び図２は扉付きキャビネットを示し、図３及び図４は引出しキャビネットを示し、図５〜図１０は要部の詳細を示し、図中符号Ａは扉付きキャビネット、Ｂは引出しキャビネット、１は筐体、２は開閉板、３は開閉操作部、４は開閉操作ユニット、５はラッチ、６は作動軸、７はユニットケース、８は電子錠、９は引手、１０はカバー、１１は認証パネルをそれぞれ示している。
【００２２】
本実施形態の扉付きキャビネットＡ及び引出しキャビネットＢは、それぞれ複数台を組み合わせて、あるいはオープン棚や他の種類のキャビネトと組み合わせて縦横に連結してシステム収納家具を構成するものである。通常は、下段に引出しキャビネットＢ、上段に扉付きキャビネットＡを連結してそれを左右に連結してシステム収納家具を構成する場合が多い。このシステム収納家具を壁面に沿って設置する場合や、それ自体で室内を区画するために用いる場合もある。
【００２３】
前記扉付きキャビネットＡは、図１に示すように、筐体１の開口部を塞ぐように左右に開閉板２，２を両側へ回動開閉可能に設け、両開閉板２，２の召し合わせ部において右側の開閉板２が左側の開閉板２を押さえ込んで閉止状態を維持する構造であり、そして右側の開閉板２の召し合わせ部に沿った下部には開閉操作部３を設け、該開閉操作部３を操作して前記開閉板２の上下端に設けた後述のラッチ５を、作動軸６を介して回転駆動して筐体１の上下框部に係脱するようになっている。以後、特に区別をする必要があるときには、前記扉付きキャビネットＡの開閉板２を扉２Ａと記載する。
【００２４】
一方、前記引出しキャビネットＢは、図３に示すように、筐体１に多段に引出し１２，…を設け、各引出し１２の前面に設けた開閉板２で筐体１の開口部を塞ぎ、各開閉板２の上縁中央部には開閉操作部３を設け、該開閉操作部３を操作して前記開閉板２の左右両端に設けた後述のラッチ５を、作動軸６を介して回転駆動して筐体１の左右框部に係脱するようになっている。以後、特に区別をする必要があるときには、前記引出しキャビネットＢの開閉板２を前板２Ｂと記載する。
【００２５】
前記開閉操作部３は、前記開閉板２に形成した長方形の開口部１３から、開閉操作ユニット４のユニットケース７に設けた引手９、カバー１０及び電子錠８の認証パネル１１を表面側に露出して構成している。ここで、前記扉２Ａに設けた開閉操作部３は、図２に示すように、縦長の開口部１３内の上側に引手９とカバー１０を左右に配置し、下側に電子錠８の認証パネル１１を配置するとともに、それらの中間に区画枠部１４を水平に配置して構成している。また、前記前板２Ｂに設けた開閉操作部３は、図４に示すように、横長の開口部１３内の左側に引手９とカバー１０を上下に配置し、右側に電子錠８の認証パネル１１を配置するとともに、それらの中間に区画枠部１４を垂直に配置して構成している。ここで、前記開閉板２の縁部の内側に形成した開口部１３には、前記引手９とカバー１０、認証パネル１１及び区画枠部１４のみが露出し、前記ユニットケース７によって開口部１３の周囲に縁が形成されない構造である。
【００２６】
前記開閉板２の裏面側で前記開口部１３より外側で縁部に沿って回転可能に保持した前記作動軸６の両端部には、前記ラッチ５，５を直接連結し又は連動軸を介して回動可能に連動させて取付けるとともに、該ラッチ５が筐体１の框部に形成した図示しない係合部に係合する方向に弾性付勢している。その状態で前記開閉板２の裏面側に前記開閉操作ユニット４を着脱可能に取付けると、前記引手９の可動部と前記作動軸６に固定した連動部材１５が当接状態で連動するようになっている。そして、前記カバー１０を指先でユニットケース７内に押し込むと同時に該引手９に指を掛けて手前に引いて回動させると、前記作動軸６が回動して前記ラッチ５の係合が解除する方向に回転し、当該開閉板２を手前へ開放することができるのである。
【００２７】
基本的な構造は、前記扉付きキャビネットＡと引出しキャビネットＢで同じであるので、扉付きキャビネットＡの扉２Ａに設ける開閉操作ユニット４と作動軸６及びラッチ５の構造を、図２、図５〜図９に基づいて詳細に説明する。先ず、図５及び図６に示すように、スチール製の前記扉２Ａには遊端（召し合わせ部）の側縁のやや内側に縦長の開口部１３を形成するとともに、該開口部１３の裏側周縁部にスチール製の板部材１６をスポット溶接し、該板部材１６の上下部に後方へ突出した断面Ｌ字形の固定片１７，１７を折曲形成している。そして、前記扉２Ａの裏面遊端側の側縁に沿い前記開口部１３と交差しない外側位置に、断面四角形の前記作動軸６を適宜な軸受１８により回動可能に支持するとともに、該作動軸６の上下端部に前記ラッチ５，５を回転不能に嵌着している。そして、前記作動軸６の中間部で前記開口部１３の側方位置に、合成樹脂製の前記連動部材１５を回転不能に嵌挿し、又はインサート成形によって一体的に形成している。前記連動部材１５は上下中央部に開口部１３に向けて連動片１９を突設するとともに、上下端部に開口部１３に向けて受片２０，２０を突設し、少なくとも一方の該受片２０と前記扉２Ａの裏面若しくは板部材１６との間に圧縮コイルばね２１を介装するとともに、該圧縮コイルばね２１の一端部を前記受片２０に保持し、該圧縮コイルばね２１によって前記ラッチ５を筐体１の框部に設けた係合部に係合する回転方向に弾性付勢している。ここで、筐体１の框部に設けるラッチ５を係脱する係合部は、係合孔で構成する。
【００２８】
そして、前記開閉操作ユニット４は、図６〜図８に示すように、合成樹脂製のユニットケース７に引手９とカバー１０を回転可能に取付けるとともに、電子錠８を内蔵して構成する。前記ユニットケース７は、前記固定片１７，１７の間に嵌る上下寸法を有し、上下端面に前記固定片１７，１７に接合する取付部２２，２２を突設し、上部には前側に開放した指挿入用の凹部２３を形成するとともに、該凹部２３の側方で扉２Ａの側縁に対応する側を開放して引手装着空間２４を設け、更に該引手装着空間２４を設けた一側に前面側に開放し、前記作動軸６を受け入れるＵ字溝２５を形成している。尚、前記連動部材１５は、引手装着空間２４に対応して受け入れられる。
【００２９】
そして、前記引手９は、合成樹脂製の成形品であり、前記凹部２３の開口部の略半分を閉鎖する大きさの指掛け部２６を有し、該指掛け部２６から側方に延びて前記引手装着空間２４に位置するアーチ部２７の端部を前記ユニットケース７の端部、つまり前記Ｕ字溝２５より外側位置に垂直な支軸２８にて枢支している。ここで、前記引手９のアーチ部２７は、前記連動部材１５を迂回して後方から先端にかけて前方へ湾曲した形状であり、該アーチ部２７の基部で前記指掛け部２６に連続する位置に前方へやや張り出した当止部２９を設け、該当止部２９が前記連動部材１５の連動片１９の先端に当接するようになっている。また、前記引手９の当止部２９には、圧縮コイルばね３０の一端を保持し、該圧縮コイルばね３０の他端を前記開口部１３の周縁の板部材１６に圧接し、常に引手９が復帰する方向へ弾性付勢している。更に、前記引手９の指掛け部２６は、指が当たる裏面側が複数の上下等間隔のリブ３１，…で形成されており、該リブ３１，…の包絡面が円弧状に湾曲した形状となっている。
【００３０】
また、前記カバー１０は、合成樹脂製の成形品であり、前記凹部２３の開口部の略半分を閉鎖する大きさの表面板３２を有し、該表面板３２の端部から後方に延びた側片３３の上下部に外側へ突出したヒンジ部３４，３４を形成し、該ヒンジ部３４，３４を前記ユニットケース７の引手装着空間２４とは反対側の側板３５に形成した開口３６，３６から外側へ引き出し、該側板３５の外側面で前記開口３６，３６より上下部に突設した突片３７，３７間に保持した垂直な支軸３８で前記ヒンジ部３４，３４を枢支する。更に、前記カバー１０の表面板３２の裏面と前記ユニットケース７の凹部２３の底板３９との間に圧縮コイルばね４０を介装して当該カバー１０が押し込み状態から復帰するように弾性付勢している。また、前記カバー１０の表面板３２の遊端には、前記引手９の遊端の裏側に係止する係止縁４１を形成している。ここで、前記引手９の指掛け部２６と前記カバー１０の表面板３２とは略同形で、通常状態において前記凹部２３の開口部を閉鎖し、その表面が前記ユニットケース７の前面に対して扉２Ａと板部材１６の合計厚さ分だけ突出させている。
【００３１】
また、前記電子錠８は、前記ユニットケース７の下部に内蔵し、その認証パネル１１が前記引手９及びカバー１０と同じだけユニットケース７の前面から突出している。本発明において、電子錠８の構造は限定されず、前記認証パネル１１も暗証番号をテンキーで入力する方式でも、タッチパネルで入力する方式でも構わず、更に指紋認証方式やその他の磁気カード、ＬＳＩカードあるいは携帯電話から電磁的に入力する方式でも構わない。そして、前記認証パネル１１を操作して前記電子錠８の電磁ソレノイド等のアクチュエータ（図示せず）を駆動し、前記ユニットケース７内で施錠片が変位して前記引手９の手前への変位を規制してロックする。
【００３２】
このように構成した前記開閉操作ユニット４を、図６に示すように、予め作動軸６とラッチ５，５を装着した状態の扉２Ａの裏面側に、前記固定片１７，１７の間に嵌挿するとともに、上下の取付部２２，２２を固定片１７，１７に接合してネジ止めすると、前記引手９の指掛け部２６と前記カバー１０の表面板３２、更に電子錠８の認証パネル１１が開口部１３から表面に臨み、扉２Ａの表面と略面一の状態になる。前記開閉操作ユニット４を扉２Ａの裏面に取付けると同時に、前記作動軸６をユニットケース７のＵ字溝２５に受け入れるとともに、前記連動部材１５が引手９のアーチ部２７の前側に位置し、該連動部材１５の連動片１９の先端が前記引手９の当止部２９の前面に当接して連動するようになる。つまり、図９に示すように、前記カバー１０を指先で凹部２３内に押し込んで、前記引手９の指掛け部２６の裏面側に指先を掛けて手前に引くと、前記支軸２８を中心にアーチ部２７が手前に回転し、それにより前記当止部２９が連動片１９を手前側に押して作動軸６を回転し、前記ラッチ５の係合が解除される方向に回転変位するのである。最後に、図８に示すように、前記開閉操作ユニット４を背後から覆うようにスチール製の保護カバー４２を被せ、該保護カバー４２をユニットケース７の裏面にネジ止めする。尚、前記圧縮コイルばね２１，３０，４０は、キックばね、板ばね等の他の公知の弾性付勢手段に置き換えて良い。
【００３３】
前記引手９から手を放した状態、若しくは電子錠８によって引手９がロックされた状態で扉２Ａを閉じると、図１０に示すように、前記ラッチ５が筐体１の框部に設けた係合孔（図示せず）の孔縁を滑って先端の爪が通過するように回転する。つまり、ラッチ５が係合を解除する方向に回転変位し、それに伴って前記作動軸６も回転するが、前記連動部材１５の連動片１９が前記引手９の当止部２９から離れる方向の変位であるから許容されるのである。そして、前記ラッチ５の爪が係合孔の孔縁を通過すると、前記圧縮コイルばね２１の弾性付勢力によって係合する方向に回動復帰し、ラッチ５が筐体１の係合部に係合する。この機構は、いわゆる蹴り込み手段と称する。ここで、前記電子錠８によってユニットケース７内で引手９をロックせず、前記連動部材１５をロックする場合には、開放状態にある扉２Ａを施錠したまま閉止する際に、前記ラッチ５を作動軸６に対して係合を解除する方向に弾性付勢力に抗して回転変位を許容しなければならないが、その場合には作動軸６とラッチ５の連結部に公知の蹴り込み手段を設ける。この機構は、本出願人の先願に係る特許文献１にも開示されている。
【００３４】
図１１は、引出しの前板２Ｂに前記同様の開閉操作ユニット４を取付けた状態を示している。この場合、前記前板２Ｂの上縁に沿って横長の開口部１３を設け、それに応じて前記開閉操作ユニット４も横長のユニットケース７となり、図４に示すように、該ユニットケース７の左側で上側に引手９を、下側にカバー１０を設け、右側に電子錠８の認証パネル１１を設けている。前記作動軸６は、前板２Ｂの裏面上縁に沿って回転可能に支持し、該作動軸６の両端は下方へ直角に折曲して操作片４３を形成し、一方、裏面の側縁に沿って垂直に連動軸４４を回転可能に支持し、該連動軸４４の上端部を内方へ直角に折曲して形成した連動片４５を前記操作片４３の前側に交差させ、更に連動軸４４の下端にラッチ５を固定した構造となっている。また、前記ラッチ５の基部から前板２Ｂの中心方向を延びた弾性片４７を前板２Ｂの裏面に圧接し、該ラッチ５の先端が外側へ回転する方向に弾性付勢している。そして、前記引手９を手前に引くと、前記作動軸６が回転し、前記操作片４３が連動片４５を前側に変位させ、それにより前記連動軸４４が右回りに回転してラッチ５が内向きに回転変位する。前記筐体１の側框部には、前記ラッチ５を係合する爪片（図示せず）を突設してあり、引出し１２の押し込み格納時には前板２Ｂが閉止し、ラッチ５の先端部に形成した係止孔４６が前記爪片に係合している。そして、引手９を手前に引いたときにラッチ５が内側に回転変位し、係止孔４６と爪片との係合が開示されて引出し１２を引き出すことが可能になる。このラッチ５による係脱機構は公知のものである。
【００３５】
ここで、前述の実施形態では、前記引手９の指掛け部２６と前記カバー１０の表面板３２とは略同形としたが、前記引手９が凹部２３内に位置し、前記カバー１０が凹部２３の開口部全体を閉鎖する大きさとしても良い。この場合、前記カバー１０を凹部２３内に押し込んで凹部２３内に隠れている引手９を手前に引くと、該引手９が凹部２３内で変位して前記作動軸６を回転させるようにする。
【００３６】
図１２〜図１５は、前記カバー１０を省略したタイプの他の実施形態である。図１２及び図１３は、扉付きキャビネットＡ１を示し、図１４及び図１５は引出しキャビネットＢ１を示している。前記カバー１０が存在しない以外は、前記同様であるので、同一構成には同一符号を付してその説明は省略する。この場合、前記ユニットケース７の凹部２３が一部露出したままとなる。
【符号の説明】
【００３７】
Ａ，Ａ１  扉付きキャビネット、
Ｂ，Ｂ１  引出しキャビネット、
１  筐体、                ２  開閉板、
２Ａ  扉、                ２Ｂ  前板、
３  開閉操作部、          ４  開閉操作ユニット、
５  ラッチ、              ６  作動軸、
７  ユニットケース、      ８  電子錠、
９  引手、                １０  カバー、
１１  認証パネル、        １２  引出し、
１３  開口部、            １４  区画枠部、
１５  連動部材、          １６  板部材、
１７  固定片、            １８  軸受、
１９  連動片、            ２０  受片、
２１  圧縮コイルばね、    ２２  取付部、
２３  凹部、              ２４  引手装着空間、
２５  Ｕ字溝、            ２６  指掛け部、
２７  アーチ部、          ２８  支軸、
２９  当止部、            ３０  圧縮コイルばね、
３１  リブ、              ３２  表面板、
３３  側片、              ３４  ヒンジ部、
３５  側板、              ３６  開口、
３７  突片、              ３８  支軸、
３９  底板、              ４０  圧縮コイルばね、
４１  係止縁、            ４２  保護カバー、
４３  操作片、            ４４  連動軸、
４５  連動片、            ４６  係止孔、
４７  弾性片。
【図１】
2015187345.tif 000003
【図２】
2015187345.tif 000004
【図３】
2015187345.tif 000005
【図４】
2015187345.tif 000006
【図５】
2015187345.tif 000007
【図６】
2015187345.tif 000008
【図７】
2015187345.tif 000009
【図８】
2015187345.tif 000010
【図９】
2015187345.tif 000011
【図１０】
2015187345.tif 000012
【図１１】
2015187345.tif 000013
【図１２】
2015187345.tif 000014
【図１３】
2015187345.tif 000015
【図１４】
2015187345.tif 000016
【図１５】
2015187345.tif 000017